(57)【要約】本発明は、キャビネット；該キャビネットに備えられて衣類が収容される空間を提供する衣類収容部；キャビネットの前面に備えられて衣類収容部に連通する投入口；キャビネットに回転自在に結合して投入口を開閉するドアボディ；ドアボディーを貫通するボディー貫通孔に備えられた透明材質のウィンドウ；ウィンドウを打つときに発生する音と振動のいずれかを感知するノック感知部；及びノック感知部がウィンドウを打つときに発生する音や振動を感知すると、衣類収容部内に光を放出するランプ；を含む衣類処理装置を提供する。
2021535794.tif 000002
【特許請求の範囲】
【請求項１】
衣類処理装置であって、
キャビネット；
前記キャビネットに備えられて衣類が収容される空間を提供する衣類収容部；
前記キャビネットの前面に備えられて前記衣類収容部に連通する投入口；
前記衣類収容部に空気と水蒸気のいずれかを供給する供給部；
前記衣類収容部内に備えられてハンガーが支持される支持部；
前記キャビネットに回転自在に結合して前記投入口を開閉するドアボディー；
前記ドアボディーを貫通するボディー貫通孔に備えられた透明材質のウィンドウ；
前記ウィンドウを打つときに発生する音と振動のいずれかを感知するノック感知部；及び
前記ノック感知部が前記ウィンドウを打つときに発生する音や振動を感知すると、前記衣類収容部内に光を放出するランプ；を備えることを特徴とする、衣類処理装置。
【請求項２】
前記ドアボディーが前記投入口を開放したか否かを感知するドア感知部；及び
前記ドアボディーが前記投入口を開放すると、前記支持部を前記投入口が位置する方向に移動させ、前記ドアボディーが前記投入口を閉鎖すると、前記支持部を前記投入口から離れる方向に移動させる移送部；を更に備えることを特徴とする、請求項１に記載の衣類処理装置。
【請求項３】
前記ドアボディーが前記投入口を開放したことが感知されると、前記ノック感知部を非活性化させ、前記ランプを作動させる制御部；を更に備えることを特徴とする、請求項２に記載の衣類処理装置。
【請求項４】
前記ドアボディーが前記投入口を閉鎖したことが感知された状態で前記ノック感知部が前記ウィンドウを打つときに発生する音や振動を感知すると、前記ランプを作動させる制御部；を更に備えることを特徴とする、請求項２に記載の衣類処理装置。
【請求項５】
前記ドアが前記投入口を開放したとき、前記投入口から前記支持部の中心までの距離は、前記支持部の移動方向に平行な前記衣類収容部の長さの１／３以下に設定され、
前記ドアが前記投入口を閉鎖したとき、前記投入口から前記支持部の中心までの距離は、前記支持部の移動方向に平行な前記衣類収容部の長さの１／２以上に設定されることを特徴とする、請求項２に記載の衣類処理装置。
【請求項６】
前記衣類収容部の上部に位置して、第１スリットと第２スリットにより前記衣類収容部に連通される第１チャンバー；を更に備え、
前記支持部は、
前記第１チャンバー内に備えられ、前記移送部によって前記キャビネットの前面と前記キャビネットの後面の間を往復するベース；
一端は前記ベースに固定され、自由端は前記第１スリットに挿入されて前記衣類収容部に位置する第１連結部；
一端は前記ベースに固定され、自由端は前記第２スリットに挿入されて前記衣類収容部に位置する第２連結部；及び
一端は前記第１連結部に固定され、他端は前記第２連結部に固定されてハンガーを支持する支持バー；を備えることを特徴とする、請求項３に記載の衣類処理装置。
【請求項７】
前記移送部は、前記ベースの移動方向に平行に前記ベースに備えられたラック；
前記ラックに結合されたピニオン；及び
前記ピニオンを回転させるピニオンモーター；を備えることを特徴とする、請求項６に記載の衣類処理装置。
【請求項８】
前記ランプは前記支持バーに備えられることを特徴とする、請求項６に記載の衣類処理装置。
【請求項９】
前記衣類収容部の湿度や温度を測定する状態感知部；を更に備え、
前記ドアボディーが前記投入口を閉鎖した状態で前記ノック感知部が前記ウィンドウを打つときに発生する音や振動を感知すると、前記ランプは前記状態感知部が感知する湿度によって互いに異なる色相の光を放出することを特徴とする、請求項５に記載の衣類処理装置。
【請求項１０】
前記衣類収容部内の空気に含まれた異物質の量を感知する状態感知部；を更に備え、
前記ドアボディーが前記投入口を閉鎖した状態で前記ノック感知部が前記ウィンドウを打つときに発生する音や振動を感知すると、前記ランプは前記状態感知部が感知する異物質の量によって互いに異なる色相の光を放出することを特徴とする、請求項５に記載の衣類処理装置。
【請求項１１】
前記衣類収容部内の空気に含まれた臭い粒子の濃度を感知する状態感知部；を更に備え、
前記ドアボディーが前記投入口を閉鎖した状態で前記ノック感知部が前記ウィンドウを打つときに発生する音や振動を感知すると、前記ランプは前記状態感知部が感知する臭い粒子の濃度によって互いに異なる色相の光を放出することを特徴とする、請求項５に記載の衣類処理装置。
【請求項１２】
前記ドアボディーが前記投入口を開放すると、前記投入口を介して前記衣類収容部から引き出されるハウジング；
前記ハウジングに備えられて衣類が収容される空間を提供するハウジングチャンバー；
前記ハウジングを貫通して前記ハウジングチャンバーに連通するハウジング投入口；
前記ハウジングに回転自在に設けられて前記ハウジング投入口を開閉するハウジングドア；
前記ハウジングチャンバーと前記ハウジングドアのいずれか一方に備えられて、ズボンが固定されるズボン支持部；及び
前記ハウジングチャンバーと前記ハウジングドアのいずれか他方に備えられて、前記ハウジングドアが前記ハウジング投入口を閉鎖すると、ズボンを前記ズボン支持部が位置する方向に加圧するズボン圧縮部；を更に備えることを特徴とする、請求項１に記載の衣類処理装置。
【請求項１３】
前記ズボン支持部は、前記ハウジングチャンバーに備えられてズボンの一端が着脱自在に固定される衣類固定部；及び前記ハウジングチャンバーに備えられて前記衣類固定部に固定されたズボンの一面を支持する支持ボディー；を備え、
前記ズボン圧縮部は、前記ハウジングドアに備えられて前記ハウジングドアが前記ハウジング投入口を閉鎖すると、ズボンを前記支持ボディーが位置する方向に加圧する圧縮ボディー；を備えることを特徴とする、請求項１２に記載の衣類処理装置。
【請求項１４】
前記ハウジングを貫通して前記衣類収容部と前記ハウジングチャンバーを連通するハウジング供給口；を更に備えることを特徴とする、請求項１３に記載の衣類処理装置。
【請求項１５】
前記供給部は、前記衣類収容部に加熱された空気を供給する空気供給部；及び前記衣類収容部に加熱されていない水蒸気又は加熱された水蒸気を供給する水分供給部；を備えることを特徴とする、請求項１４に記載の衣類処理装置。
【請求項１６】
前記支持ボディーと前記圧縮ボディーのいずれか一方に備えられてズボンに形成された縫い目が収容される空間を提供する回避溝；を更に備えることを特徴とする、請求項１３に記載の衣類処理装置。
【請求項１７】
前記ハウジングドアを前記ハウジングに回転自在に結合するヒンジ；を更に備え、
前記ヒンジは、
バー状に形成されたヒンジボディー；
前記ヒンジボディーの一端を前記ハウジングに連結する第１回転軸；及び
前記ヒンジボディーの他端を前記ハウジングドアに連結する第２回転軸；を備えることを特徴とする、請求項１３に記載の衣類処理装置。
【請求項１８】
前記ドアが前記投入口を開放すると、光を放出するように前記支持バーに備えられたランプ；を更に備えることを特徴とする、請求項６に記載の衣類処理装置。
【請求項１９】
前記衣類固定部は、
一端は前記支持ボディーの表面に固定され、自由端は弾性力によりズボンを前記支持ボディーの表面に加圧するクリップ(ｃｌｉｐ)からなることを特徴とする、請求項１３に記載の衣類処理装置。
【請求項２０】
前記衣類収容部の状態を感知する状態感知部；を更に備え、
前記投入口が前記ドアボディーにより閉じられ、前記ノック感知部が前記ウィンドウを打つときに発生する音や振動を感知すると、前記ランプは前記状態感知部が感知する前記衣類収容部の状態によって互いに異なる色相の光を放出することを特徴とする、請求項１に記載の衣類処理装置。
【発明の詳細な説明】
【技術分野】
【０００１】
本発明は衣類処理装置に関する。
【背景技術】
【０００２】
本発明は衣類処理装置に関する。
【０００３】
一般に衣類処理装置は、衣類に関連する各種の処理作業(洗濯、乾燥、脱臭、クリース除去など)を行う装置であり、衣類を洗濯する洗濯装置、ぬれた衣類を乾燥する乾燥装置、衣類に染み付いた臭い又はクリースを除去するリフレッシャー(ｒｅｆｒｅｓｈｅｒ)などを含む概念である。
【０００４】
従来の衣類処理装置は、衣類が収容されるドラムと該ドラムを回転させる駆動装置、ドラムに空気を供給する装置などにより衣類とドラムを摩擦させて処理作業を行うため、衣類の乾燥には有利であるが、衣類に続いて摩擦力を提供するので、衣類にシワ(ｗｒｉｎｋｌｅ)がつくことを防止したり衣類についたシワを除去したりするには十分ではなかった。
【発明の概要】
【発明が解決しようとする課題】
【０００５】
本発明は、衣類を広げられたまま固定する支持部により衣類の乾燥、脱臭及びシワ除去が可能な衣類処理装置を提供することを解決課題とする。
【０００６】
また本発明は、外部から衣類処理過程を確認できる衣類処理装置を提供することを解決課題とする。
【０００７】
また本発明は、ドアが開かれると、衣類又は衣類が固定されたハンガーを投入口が位置する方向に移動させる支持部によりユーザの便宜が向上された衣類処理装置を提供することを解決課題とする。
【課題を解決するための手段】
【０００８】
本発明は、キャビネット；該キャビネットに備えられて衣類が収容される空間を提供する衣類収容部；キャビネットの前面に備えられて衣類収容部に連通する投入口；衣類収容部に空気と水蒸気のいずれかを供給する供給部；衣類収容部内に備えられてハンガーが支持される支持部；キャビネットに回転自在に結合して投入口を開閉するドアボディー；ドアボディーを貫通するボディー貫通孔に備えられた透明材質のウィンドウ；ウィンドウを打つときに発生する音と振動のいずれかを感知するノック感知部；及びノック感知部がウィンドウを打つときに発生する音や振動を感知すると、衣類収容部内に光を放出するランプ；を含む（備える：構成する）衣類処理装置を提供する。
【０００９】
本発明は、ドアボディーが投入口を開放したか否かを感知するドア感知部；及びドアボディーが投入口を開放すると、支持部を投入口が位置する方向に移動させ、ドアボディーが投入口を閉鎖すると、支持部を投入口から離れる方向に移動させる移送部；をさらに含む。
【００１０】
本発明は、ドアボディーが投入口を開放したことが感知されると、ノック感知部を非活性化させ、ランプを作動させる制御部；をさらに含む。
【００１１】
本発明は、ドアボディーが投入口を閉鎖したことが感知された状態でノック感知部がウィンドウを打つときに発生する音や振動を感知すると、ランプを作動させる制御部；をさらに含む。
【００１２】
ドアが投入口を開放したとき、投入口から支持部の中心までの距離は、支持部の移動方向に平行な衣類収容部の長さの１／３以下に設定され、ドアが投入口を閉鎖したとき、投入口から支持部の中心までの距離は、支持部の移動方向に平行な衣類収容部の長さの１／２以上に設定される。
【００１３】
本発明は、衣類収容部の上部に位置して、第１スリットと第２スリットにより衣類収容部に連通される第１チャンバー；をさらに含み、支持部は第１チャンバー内に備えられ、移送部によってキャビネットの前面とキャビネットの後面の間を往復するベース；一端はベースに固定され、自由端は第１スリットに挿入されて衣類収容部に位置する第１連結部；一端はベースに固定され、自由端は第２スリットに挿入されて衣類収容部に位置する第２連結部；及び一端は第１連結部に固定され、他端は第２連結部に固定されてハンガーを支持する支持バー；を含む。
【００１４】
移送部はベースの移動方向に平行にベースに備えられたラック；ラックに結合されたピニオン；及びピニオンを回転させるピニオンモーター；を含む。
【００１５】
ランプは支持バーに備えられる。
【００１６】
本発明は、衣類収容部の湿度や温度を測定する状態感知部；をさらに含み、ドアボディーが投入口を閉鎖した状態でノック感知部がウィンドウを打つときに発生する音や振動を感知すると、ランプは状態感知部が感知する湿度によって互いに異なる色相の光を放出する。
【００１７】
本発明は、衣類収容部内の空気に含まれた異物質の量を感知する状態感知部；をさらに含み、ドアボディーが投入口を閉鎖した状態でノック感知部がウィンドウを打つときに発生する音や振動を感知すると、ランプは状態感知部が感知する異物質の量によって互いに異なる色相の光を放出する。
【００１８】
本発明は、衣類収容部内の空気に含まれた臭い粒子の濃度を感知する状態感知部；をさらに含み、ドアボディーが投入口を閉鎖した状態でノック感知部がウィンドウを打つときに発生する音や振動を感知すると、ランプは状態感知部が感知する臭い粒子の濃度によって互いに異なる色相の光を放出する。
【００１９】
本発明は、ドアボディーが投入口を開放すると、投入口を介して衣類収容部から引き出されるハウジング；ハウジングに備えられて衣類が収容される空間を提供するハウジングチャンバー；ハウジングを貫通してハウジングチャンバーに連通するハウジング投入口；ハウジングに回転自在に設けられてハウジング投入口を開閉するハウジングドア；ハウジングチャンバーとハウジングドアのいずれか一方に備えられて、ズボンが固定されるズボン支持部；及びハウジングチャンバーとハウジングドアのいずれか他方に備えられて、ハウジングドアがハウジング投入口を閉鎖すると、ズボンをズボン支持部が位置する方向に加圧するズボン圧縮部；を含む。
【００２０】
ズボン支持部は、ハウジングチャンバーに備えられてズボンの一端が着脱自在に固定される衣類固定部；及びハウジングチャンバーに備えられて衣類固定部に固定されたズボンの一面を支持する支持ボディー；を含み、ズボン圧縮部は、ハウジングドアに備えられてハウジングドアがハウジング投入口を閉鎖すると、ズボンを支持ボディーが位置する方向に加圧する圧縮ボディー；を含む。
【００２１】
本発明は、ハウジングを貫通して衣類収容部とハウジングチャンバーを連通する供給口；をさらに含み、供給部は、衣類収容部に加熱された空気を供給する空気供給部；及び衣類収容部に加熱されていない水蒸気又は加熱された水蒸気を供給する水分供給部；を含む。
【００２２】
本発明は、ハウジングを貫通して衣類収容部とハウジングチャンバーを連通させるハウジング供給口；をさらに含む。
【００２３】
供給部は、衣類収容部に加熱された空気を供給する空気供給部；及び衣類収容部に加熱されていない水蒸気又は加熱された水蒸気を供給する水分供給部；を含む。
【００２４】
本発明は、支持ボディーと圧縮ボディーのいずれか一方に備えられてズボンに形成された縫い目が収容される空間を提供する回避溝；をさらに含む。
【００２５】
また本発明は、ハウジングドアをハウジングに回転自在に結合するヒンジ；をさらに含み、ヒンジは、バー状に形成されたヒンジボディー；ヒンジボディーの一端をハウジングに連結する第１回転軸；及びヒンジボディーの他端をハウジングドアに連結する第２回転軸；を含む。
【００２６】
本発明は、ドアが投入口を開放すると、光を放出するように支持バーに備えられたランプ；をさらに含む。
【００２７】
衣類固定部は、一端は支持ボディーの表面に固定され、衣類固定部の自由端は弾性力によりズボンを支持ボディーの表面に加圧するクリップ(ｃｌｉｐ)からなる。
【００２８】
一方、本発明の他の実施例は、キャビネット；該キャビネットに備えられて衣類が収容される空間を提供する衣類収容部；キャビネットの前面に備えられて衣類収容部に連通する投入口；キャビネットに回転自在に結合して投入口を開閉するドア；衣類収容部に空気と水蒸気のいずれかを供給する供給部；衣類収容部内に備えられて衣類が支持される空間を提供する支持部；ドアが投入口を開放すると、投入口を介して衣類収容部から引き出されるハウジング；ハウジングに備えられてズボンが収容される空間を提供するハウジングチャンバー；ハウジングを貫通してハウジングチャンバーに連通するハウジング投入口；ハウジングに回転自在に設けられてハウジング投入口を開閉するハウジングドア；ハウジングチャンバーとハウジングドアのいずれか一方に備えられて、ズボンが固定されるズボン支持部；及びハウジングチャンバーとハウジングドアのいずれか他方に備えられて、ハウジングドアがハウジング投入口を閉鎖すると、ズボンをズボン支持部が位置する方向に加圧するズボン圧縮部；を含む衣類処理装置を提供する。
【００２９】
ズボン支持部は、ハウジングチャンバーに備えられてズボンの一端が着脱自在に固定される衣類固定部；及びハウジングチャンバーに備えられて衣類固定部に固定されたズボンの一面を支持する支持ボディー；を含み、ズボン圧縮部は、ハウジングドアに備えられてハウジングドアがハウジング投入口を閉鎖すると、ズボンを支持ボディーが位置する方向に加圧する圧縮ボディー；を含む。
【００３０】
本発明の他の実施例は、ハウジングを貫通して衣類収容部とハウジングチャンバーを連通させるハウジング供給口；をさらに含む。
【００３１】
供給部は、衣類収容部に加熱された空気を供給する空気供給部；及び衣類収容部に加熱されていない水蒸気又は加熱された水蒸気を供給する水分供給部；を含む。
【００３２】
本発明の他の実施例は、支持ボディーと圧縮ボディーのいずれか一方に備えられてズボンに形成された縫い目が収容される空間を提供する回避溝；をさらに含む。
【００３３】
本発明の他の実施例は、ハウジングドアをハウジングに回転自在に結合するヒンジ；をさらに含み、ヒンジはバー状に形成されたヒンジボディー；ヒンジボディーの一端をハウジングに連結する第１回転軸；及びヒンジボディーの他端をハウジングドアに連結する第２回転軸；を含む。
【００３４】
本発明の他の実施例は、ドアが投入口を開放したか否かを感知するドア感知部；及びドアが投入口を開放すると、支持部を投入口が位置する方向に移動させ、ドアが投入口を閉鎖すると、支持部を投入口から離れる方向に移動させる移送部；をさらに含む。
【００３５】
ドアが投入口を開放したとき、投入口から支持部の中心までの距離は、支持部の移動方向に平行な衣類収容部の長さの１／３以下に設定され、ドアが投入口を閉鎖したとき、投入口から支持部の中心までの距離は、支持部の移動方向に平行な衣類収容部の長さの１／２以上に設定される。
【００３６】
本発明の他の実施例は、衣類収容部の上部に位置し、第１スリットと第２スリットにより衣類収容部に連通する第１チャンバー；をさらに含み、支持部は、第１チャンバー内に備えられ、移送部によりキャビネットの前面とキャビネットの後面の間を往復するベース；一端はベースに固定され、自由端は第１スリットに挿入されて衣類収容部に位置する第１連結部；一端はベースに固定され、自由端は第２スリットに挿入されて衣類収容部に位置する第２連結部；及び一端は第１連結部に固定され、他端は第２連結部に固定されてハンガーを支持する支持バー；を含む。
【００３７】
本発明の他の実施例は、ドアが投入口を開放すると、光を放出するように支持バーに備えられたランプ；をさらに含む。
【００３８】
移送部は、ベースの移動方向に平行にベースに備えられたラック；ラックに結合されたピニオン；及びピニオンを回転させるピニオンモーター；を含む。
【発明の効果】
【００３９】
本発明によれば、衣類を広げられたまま固定する支持部により衣類の乾燥、脱臭及びシワ除去が可能な衣類処理装置を提供することができる。
【００４０】
また本発明によれば、外部から衣類処理過程を確認できる衣類処理装置を提供することができる。
【００４１】
また本発明によれば、ドアが開かれると、衣類又は衣類が固定されたハンガーを投入口が位置する方向に移動させる支持部によりユーザの便宜が向上された衣類処理装置を提供することができる。
【図面の簡単な説明】
【００４２】
【図１】本発明による衣類処理装置の一例を示す図である。
【図２】本発明による衣類処理装置の一例を示す図である。
【図３】本発明に備えられたプレッシャーの一例を示す図である。
【図４】本発明に備えられたドアの一例を示す図である。
【図５】本発明に備えられた衣類支持部の一例を示す図である。
【図６】本発明に備えられた衣類支持部の一例を示す図である。
【図７】本発明に備えられた衣類支持部の一例を示す図である。
【発明を実施するための形態】
【００４３】
以下、本発明の構成要素などを具体的に特定する図面及び実施例を用いて本発明を説明する。これは本発明の理解を助けるためのものであり、説明の便宜及び理解の便利のために誇張又は縮小して示したり説明したりすることもある。
【００４４】
図１に示すように、本発明による衣類処理装置１００は、キャビネット１、該キャビネットに備えられて衣類が収容される空間を提供する衣類収容部１１、該衣類収容部１１に空気と水蒸気のいずれかを供給する供給部４，５、衣類又は衣類が固定されたハンガーＨ１を支持するように衣類収容部内に備えられた衣類支持部６、キャビネット１に備えられて衣類収容部１１を開閉するドア２、及び衣類収容部１１から引き出されるように備えられてズボンのデザインに含まれたクリース(ｃｒｅａｓｅｓ)は強化し、ズボンについたシワ(ｗｒｉｎｋｌｅｓ)は伸ばすプレッシャー３を含む。衣類収容部１１は衣類が広げられた状態を維持できる体積を有し、衣類支持部６は衣類が衣類収容部１１内で広げられた状態を維持できる高さに形成される。
【００４５】
図２に示すように、キャビネット１には、衣類収容部１１の上部に位置する第１チャンバー(上部チャンバー)１３、及び衣類収容部１１の下部に位置する第２チャンバー(下部チャンバー)１５が備えられる。第１チャンバー１３は衣類支持部６が設けられる空間であり、第２チャンバー１５は供給部４，５が設けられる空間である。
【００４６】
第１チャンバー１３は第１隔壁(上部隔壁)１７により衣類収容部１１と区分され、第２チャンバー１５は第２隔壁(下部隔壁)１９により衣類収容部１１と区分される。したがって、第１隔壁１７の下面は衣類収容部１１の上面を形成し、第２隔壁１９の上面は衣類収容部１１の底面を形成する。
【００４７】
図１に示すように、キャビネット１の前面１６には、衣類収容部１１に連通する投入口１６１、及び第２チャンバー１５に連通する連通口１６３が備えられる。投入口１６１はドア２により開閉され、連通口１６３はチャンバードア１６５により開閉される。チャンバードア１６５は第２チャンバー１５から引き出される引き出し(ｄｒａｗｅｒ)からなるか、或いはヒンジにより下面がキャビネットの前面１６に回転自在に結合されるボード(ｂｏａｒｄ)形態に形成されることもできる。
【００４８】
図２に示すように、第２チャンバー１５に備えられる供給部は、衣類収容部１１に加熱された空気又は加熱されていない空気を供給する空気供給部４、衣類収容部１１に加熱された水蒸気(スチーム)又は加熱されていない水蒸気を供給する水分供給部５からなる。
【００４９】
空気供給部４は、第２チャンバー１５に備えられるダクト４１、ダクト内に備えられる熱交換部及びファン４７からなる。ダクト４１は衣類収容部１１内の空気を熱交換部に引き出し、熱交換部を通過した空気を衣類収容部１１に供給する流路である。
【００５０】
第２隔壁１９には衣類収容部１１と第２チャンバー１５を連通する排出口１９１及び供給口１９２が備えられ、ダクト４１は第２チャンバー１５に備えられて排出口１９１と供給口１９２を連結する。したがって、ダクト４１内に備えられたファン４７が回転すると、衣類収容部１１内の空気は排出口１９１を介してダクト４１に流入した後、供給口１９２を介して衣類収容部１１に移動する。
【００５１】
熱交換部は排出口１９１を介してダクト４１に流入した空気を除湿(空気に含まれた水蒸気を除去)して、除湿された空気を加熱できれば、いかなる形態でもよいが、図２には熱交換部がヒートポンプからなる場合が一例として示されている。
【００５２】
この場合、熱交換部は、冷媒の循環流路を提供する冷媒管４４、冷媒管４４に固定されて排出口１９１とファン４７の間に位置する第１熱交換器(吸熱部)４２、冷媒管４４に固定されて第１熱交換器４２とファン４７の間に位置する第２熱交換器(発熱部)４３、冷媒が冷媒管４４に沿って循環するようにする圧縮機４５、及び第２熱交換器４３を通過した冷媒の圧力を下げる膨張器４６を含む。
【００５３】
第１熱交換器４２及び第２熱交換器４３はダクト４１の内部に備えられ、圧縮機４５及び膨張器４６はダクト４１の外部に備えられる。第１熱交換器４２はダクト４１に流入した空気から熱を吸収して冷媒管４４の内部を循環する冷媒に伝達する手段であり、冷媒は第１熱交換器４２を通過しながら蒸発し、空気に含まれた水分は第１熱交換器４２を通過しながら凝縮する。
【００５４】
第２熱交換器４３は圧縮機４５から排出された冷媒が有する熱を第１熱交換器４２を通過した空気に伝達する手段であり、冷媒は第２熱交換器４３を通過しながら凝縮し、空気は第２熱交換器４３を通過しながら加熱される。
【００５５】
水分供給部５は、第２チャンバー１５に備えられて水が貯蔵される空間を提供する水貯蔵部５１、水貯蔵部５１とノズル５７を連結する供給管５５、及び水貯蔵部内の水を加熱するヒーター５３を含む。第２隔壁１９には衣類収容部１１と第２チャンバー１５を連通する水分供給口１９３が備えられるが、ノズル５７は水分供給口１９３に固定される。
【００５６】
衣類支持部６はハンガーのフックＨ２が支持される支持バー６４、支持バーの両端を第１隔壁１７に連結する第１連結部６２及び第２連結部からなる。この場合、支持バー６４が衣類収容部１１の上面の中央付近に位置すると、背の低いユーザはハンガーのフックＨ２を支持バー６４にかけるか、支持バー６４から分離することが不便である。
【００５７】
このような問題を解決するために、本発明に備えられた衣類支持部６は、衣類収容部の深さ方向(Ｚ軸方向)に沿って移動可能に備えられる。即ち、図２に示すように、衣類支持部６は、ハンガーＨ１が着脱自在に固定される支持部６１，６２，６３，６４と、支持部が衣類収容部の深さ方向(Ｚ軸方向)に沿って移動できるようにする移送部６５を含む。
【００５８】
支持部は、第１チャンバー１３内でキャビネットの前面１６とキャビネットの後面の間を往復可能なベース６１(Ｚ軸に沿って往復可能なベース)、一端はベースに固定され、自由端は衣類収容部１１に位置する第１連結部６２及び第２連結部、及び一端は第１連結部６２に固定され、他端は第２連結部６３に固定されてハンガーのフックＨ２を支持する支持バー６４を含む。
【００５９】
第１隔壁１７には、第１チャンバー１３と衣類収容部１１を連通する第１スリット１７１と第２スリット(図示せず)が備えられ、第１連結部６２は第１スリット１７１に挿入され、第２連結部(図示せず)は第２スリットに挿入される。
【００６０】
第１スリット１７１は衣類収容部の後方で投入口１６１が位置する衣類収容部の前方に向かって延び(Ｚ軸に沿って延び)、第２スリットは第１スリット１７１に平行に備えられる。支持バー６４は衣類が衣類収容部１１内で広げられた状態を維持する高さに備えられることが好ましい。
【００６１】
ベース６１を衣類収容部１１の中心が位置する方向と投入口１６１が位置する方向の間で往復できれば、移送部６５は様々な形態を有することができる。図２には移送部６５がベース６１に備えられたラック(ｒａｃｋ)６５１、第１チャンバー１３に備えられてラックに結合するピニオン(ｐｉｎｉｏｎ)６５３、及びピニオンを回転させるピニオンモーターからなる場合が一例として示されている。
【００６２】
移送部６５はユーザが入力部(制御命令入力部)により制御命令を入力したとき、支持バー６４を移動させる。制御命令入力部は、支持バー６４を投入口１６１が位置する方向に移動させる制御命令と、支持バー６４を投入口１６１から離れる方向(衣類収容部の中心が位置する方向)に移動させる制御命令を順に発生させる。制御命令入力部はドアに備えられるか、或いはドアが投入口を開放したときに露出される空間(キャビネットの前面、衣類収容部など)に備えられる。
【００６３】
投入口１６１が開放した状態でユーザが制御命令入力部を押圧すると、支持バー６４は投入口１６１が位置する方向に向かって移動するので、ユーザはハンガーのフックＨ２を容易に支持バー６４にかけることができる。支持バー６４にハンガーＨ１を固定した後、ユーザが制御命令入力部を押圧すると、支持バー６４は投入口から離れる方向に向かって移動するので、ハンガーＨ１がドア２に干渉することを防止できる。
【００６４】
一方、移送部６５はドア２が投入口１６１を開放したとき、支持バー６４を移動させることもできる。即ち、ドア２が投入口１６１を開放すると、移送部６５は支持バー６４を投入口１６１が位置する方向(＋Ｚ軸方向)に移動させ、ドア２が投入口１６１を閉鎖すると、支持バー６４を投入口から離れる方向(−Ｚ軸方向)に移動させる。
【００６５】
ドア２が投入口１６１を開放したとき、投入口１６１から支持バー６４の中心までの距離は支持バーの移動方向に対する衣類収容部の深さＬ(衣類収容部のＺ軸方向の長さ)の１／３以下に設定される。これにより、ハンガーＨ１を支持バー６４にかけるか、又はハンガーＨ１を支持バー６４から分離することが容易になる。
【００６６】
一方、ドア２が投入口１６１を閉鎖したとき、投入口１６１から支持バー６４の中心までの距離は支持バーの移動方向に平行な衣類収容部の深さＬの１／２以上に設定される。ドア２が投入口を閉鎖したとき、支持バー６４が衣類収容部１１の中央地点Ｌ／２に位置すると、ハンガーのフックＨ２を基準として対称形状のハンガーＨ１のサイズを極大化することができる(衣類収容部に収容可能な衣類の幅を極大化することができる)。
【００６７】
ドア２が投入口１６１を開放したか否かはドア感知部２４により確認できるが、図２にはドア感知部２４がキャビネットの前面１６に備えられた場合が一例として示されている。
【００６８】
ドア感知部２４はドア２が投入口１６１を閉鎖すると、ドア２に接し、ドア２が投入口１６１を開放すると、ドア２から分離されるセンサーからなる。
【００６９】
図２とは異なり、ドア感知部２４はドア２の回転方向を感知することもできる。ドア２が投入口１６１を開放する方向に回転すると、移送部６５は支持バー６４を投入口方向に移動させ、ドア２が投入口１６１を閉鎖する方向に回転すると、移送部６５は支持バー６４を投入口１６１から離れる方向に移動させる。
【００７０】
本発明による衣類処理装置１００には、衣類収容部１１に光を放出するランプがさらに備えられるが、ランプは衣類収容部１１の内部と支持バー６４のいずれか一方に備えられる。
【００７１】
図２にはランプ６４１が支持バー６４に備えられた場合が一例として示されており、この場合、ランプ６４１は支持バー６４の中心を通過する水平線の下部領域に固定される。ランプ６４１はドア２が投入口１６１を開放すると、光を放出し、ドア２が投入口１６１を閉鎖すると、光の放出を中断する。
【００７２】
図３に示すように、プレッシャー３はドア２が投入口１６１を開放したとき、投入口１６１を介して衣類収容部１１から引き出されるハウジング３１、ハウジング３１に備えられてズボンなどの衣類が収容される空間を提供するハウジングチャンバー３１ａ、ハウジング３１を貫通してハウジングチャンバー３１ａに連通するハウジング投入口３１ｂ、ハウジング３１に回転自在に設けられてハウジング投入口３１ｂを開閉するハウジングドア３１２、ハウジングチャンバー３１ａに備えられてズボンが固定されるズボン支持部３４、及びハウジングドア３１２に備えられるズボン圧縮部３５を含む。図示とは異なり、ズボン支持部３４はハウジングドア３１２に備えられ、ズボン圧縮部３５はハウジングチャンバー３１ａに備えられることもできる。
【００７３】
ハウジング３１はハウジングガイド３３により衣類収容部１１から引き出されるが、ハウジングガイド３３は、衣類収容部１１に固定された固定フレーム３３１、及び一端は固定フレーム３３１から引き出されるように固定され、他端はハウジング３１に固定された引出フレーム３３２を含む。
【００７４】
ズボン支持部３４は、ハウジングチャンバー３１ａに備えられてズボンの一端が着脱自在に固定される衣類固定部３４３、及びハウジングチャンバー３１ａに備えられて衣類固定部３４３に固定されたズボンの一面が支持される支持ボディー３４１を含む。
【００７５】
衣類固定部３４３は、一端は支持ボディー３４１の表面に固定され、自由端は弾性力によってズボンを支持ボディー３４１の表面に加圧するクリップ(ｃｌｉｐ)からなる。
【００７６】
ズボン圧縮部３５はハウジングドア３１２がハウジング投入口３１ｂを閉鎖したとき、ズボン支持部３４に固定されたズボンを支持ボディー３４１の方向に加圧する手段であり、ハウジングドア３１２に固定された圧縮ボディー３５１からなる。圧縮ボディー３５１にはハウジングドア３１２がハウジング投入口３１ｂを閉鎖するとき、衣類固定部３４３が収容される固定部収容溝３５３が備えられる。
【００７７】
ズボンのシワは効果的に除去し、ズボンのクリースは効果的に強化するために、プレッシャー３にはハウジングチャンバー３１ａを衣類収容部１１に連通させるハウジング供給口がさらに備えられる。ハウジング供給口はハウジングの上面を貫通する第１供給口３１３とハウジングの背面を貫通する第２供給口３１４のいずれかを含む。したがって、供給部４，５により衣類収容部１１に供給された水蒸気と空気は供給孔２１５を介してズボンに供給される。
【００７８】
プレッシャー３によりズボンのシワを除去するとき、ズボンに形成された縫い目(Ｓｅｗｉｎｇ Ｌｉｎｅ)のためにズボンに意図しないシワが発生することがある。この問題を解決するために、プレッシャーには縫い目が収容される空間を提供する回避溝(ｗｒｉｎｋｌｅ−ｐｒｅｖｅｎｔｉｎｇ ｇｒｏｏｖｅ)３６１，３６３がさらに備えられる。
【００７９】
回避溝は、支持ボディー３４１の高さ方向(Ｙ軸方向、ドアの高さ方向)に沿って備えられる支持ボディー溝３６１と、圧縮ボディー３５１の高さ方向に沿って備えられる圧縮ボディー溝３６３のいずれかを含む。
【００８０】
支持ボディー溝３６１は支持ボディー３４１の表面が圧縮ボディー３５１から離れる方向に向かって折り曲げられた溝からなり、圧縮ボディー溝３６３は圧縮ボディー３５１の表面が支持ボディー３４１から離れる方向に向かって凹んで折り曲げられた溝からなる。
【００８１】
ハウジングドア３１２はヒンジ３７によりハウジング３１に回転自在に結合されるが、ヒンジ３７は、バー状に形成されたヒンジボディー３７１、ヒンジボディー３７１の一端をハウジング３１に回転自在に結合する第１回転軸３７３、及びヒンジボディー３７１の他端をハウジングドア３１２に回転自在に結合する第２回転軸３７５を含む。ヒンジボディー３７１は第１回転軸３７３と第２回転軸３７５の間に１つの変曲点が形成されたバー状に形成される。
【００８２】
ハウジングドア３１２が１つの回転軸によりハウジング３１に結合されると、ハウジングドア３１２がハウジング投入口３１ｂを閉鎖するとき(圧縮ボディーが支持ボディーに接するとき)、ズボンにより意図しないシワが発生することがある。１つの回転軸を有するヒンジが備えられたプレッシャー３の場合、圧縮ボディー３５１がズボンを支持ボディー３４１の方向に加圧するとき、ヒンジに近い領域が圧縮ボディー３５１に先に接し、これにより、ズボンに捩れ(ｄｉｓｔｏｒｔｉｏｎ)が発生する可能性があるためである。しかし、２つの回転軸３７３，３７５を有するヒンジ３７によりハウジングドア３１２がハウジング３１に固定されると、圧縮ボディー３５１がズボンを支持ボディー３４１の方向に加圧するとき、ズボンにシワ(ｗｒｉｎｋｌｅｓ)が発生する問題を防止することができる。
【００８３】
図４に示すように、本発明に備えられたドア２はキャビネット１に回転自在に固定されて投入口１６１を開閉するドアボディー２１からなる。この場合、ドア感知部２４(図２)はドアボディー２１が投入口を開閉したか否かを感知する手段からなる。
【００８４】
ドアボディー２１はキャビネットの前面１６を全てカバーするように設けられるか、又はキャビネットの前面１６の一部をカバーするように設けられる。前者の場合、衣類処理装置１００の前面はドアボディー２１により形成され、後者の場合は、衣類処理装置の前面はキャビネットの前面１６の一部領域(衣類処理装置の前方に露出した領域)とドアボディー２１により形成される。
【００８５】
ドアボディー２１には、ユーザから制御命令が入力される入力部２１３と、ユーザに選択可能な制御命令や選択された制御命令の実行過程などを表示する表示部２１１が備えられる。
【００８６】
一方、本発明に備えられたドア２は、ドアボディー２１を貫通するボディー貫通孔２２、ボディー貫通孔２２に備えられるウィンドウ２３、及びウィンドウをユーザが打ったときに発生する音(空気を介して伝達される音波)や振動(ウィンドウを介して伝達される振動)のいずれかを感知するノック感知部２５をさらに含む。
【００８７】
ウィンドウ２３は透明材質又は半透明材質からなる。ノック感知部２５は収容部を備えてドアボディー２１に固定されたセンサーハウジング２５１、センサーハウジングの収容部に備えられて音波や振動を感知するセンサー２５３、及び収容部内に備えられてセンサー２５３をウィンドウ２３が位置する方向に加圧する加圧部(ｐｒｅｓｓｕｒｉｚｅｄ ｐｏｒｔｉｏｎ)２５５を含む。
【００８８】
加圧部２５５はセンサー２５３がウィンドウ２３に接した状態を維持できればいかなる形態でもよいが、図４には加圧部２５５がバネからなる場合が一例として示されている。センサー２５３がウィンドウ２３に接した状態を維持すると、センサー２５３は、ユーザがウィンドウ２３を打つときに発生する振動と衣類処理装置１００が設けられた室内で発生する振動を誤認する可能性を最小化することができる。ユーザがウィンドウ２３を打つときに発生する振動や音波は、衣類処理装置が設けられた空間で発生してウィンドウに伝達される振動や音波に比べて格段に大きいためである。
【００８９】
一方、衣類収容部１１の内部又は支持バー６４に備えられるランプ６４１は、ノック感知部２５はウィンドウを打つときに発生する音波や振動を感知したとき、衣類収容部１１に光を放出する。この場合、本発明による衣類処理装置１００は、ウィンドウ２３を打つことにより衣類処理装置の外部から衣類収容部１１の内部を確認できる効果が得られる。
【００９０】
ノック感知部２５はドアボディー２１が投入口を閉鎖した状態である場合にのみ活性化されることが好ましい。即ち、ランプ６４１はドアボディー２１が投入口１６１を閉鎖したことが感知された状態でノック感知部２５がウィンドウ２３を打つときに発生する音や振動を感知した場合にのみ光を放出するように備えられる。一方、ドアボディー２１が投入口１６１を開放していることが感知されると、ノック感知部２５は非活性化されるように制御することが好ましい。投入口１６１が開放されて外部から衣類収容部１１の内部を確認できれば、ノック感知部２５を介して衣類収容部を確認する必要がないためである。
【００９１】
ノック感知部２５を活性化状態から非活性化状態、非活性化状態から活性化状態に転換することは、制御部(図示せず)により行われる。この場合、制御部はドア感知部２４で制御信号を受けて、センサー２５３に供給される電力を遮断できる手段からなる。
【００９２】
さらにランプ６４１は、衣類処理装置が実行中である行程(乾燥行程、シワ除去行程、クリース形成行程など)の進行状況によって互いに異なる色相の光を放出するように備えられる。このために、本発明による衣類処理装置には、衣類収容部１１内の湿度や温度を測定する状態感知部４１１(図２を参考)がさらに備えられる。ドアボディー２１が投入口１６１を閉鎖した状態でノック感知部２５がウィンドウに外力が入力されることを感知すると、ランプ６４１は状態感知部４１１が測定した湿度や温度によって互いに異なる光を放出する。これにより、ユーザはユーザが選択した行程の実行過程を視覚的に確認することができる。
【００９３】
一方、状態感知部４１１は衣類の汚染度を測定できる手段からなることもできる。即ち、状態感知部４１１は衣類に残留する臭いや異物質の量を感知する手段からなる。ドアボディー２１が投入口１６１を閉鎖した状態でノック感知部２５がウィンドウに外力が入力されることを感知すると、ランプ６４１は状態感知部４１１が測定した衣類の汚染度によって互いに異なる光を放出する。
【００９４】
衣類に残留する臭いの量を測定する状態感知部４１１は、衣類収容部１１内の空気に含まれた臭い粒子の濃度を感知するセンサーからなる。衣類に残留する異物質の量を測定する状態感知部は、排出口１９１を介してダクト４１に流入する空気又は供給口１９３を介してダクト４１から排出される空気から異物質の量を感知することにより測定できる。ダクト４１に備えられて空気をろ過するフィルター、フィルターに残留する異物質の量を感知する異物質の感知センサーが、衣類に残留する異物質の量を測定する状態感知部の一例になる。
【００９５】
図５及び図６に示すように、衣類支持部６に備えられた支持バー６４はベースが往復する方向(Ｚ軸方向)に直交する方向(Ｘ軸方向、衣類収容部の幅方向、投入口の幅方向)に沿って往復可能に設けられる。即ち、本発明による衣類処理装置１００はさらに、支持バー６４をベースが往復する方向に直交する方向に沿って往復させる作動部を含む。
【００９６】
図５及び図６に示すように、作動部６７は、ベース６１に固定された作動ボディーガイド６７２に支持される作動ボディー６７１、ベース６１に固定されたモーター６７３、及びモーターの回転力を作動ボディー６７１の直線運動に変換する変換部６７５，６７６，６７７，６７８を含む。
【００９７】
作動ボディー６７１は作動ボディー ガイド６７２に支持されて衣類収容部１１の幅方向(Ｘ軸方向)に沿って往復できるが、この場合、第１連結部６２と第２連結部６３は作動ボディー６７１の両端にそれぞれ固定される。
【００９８】
図６に示すように、変換部は、作動ボディー６７１に備えられたスロット６７５、モーターの回転軸６７４に固定された軸結合部６７６、軸結合部で回転軸６７４に直交する方向に沿って突出されたアーム６７７、及びアームの自由端に備えられてスロット６７５に挿入されるスロット挿入部６７８を含む。
【００９９】
作動ボディー６７１が衣類収容部の幅方向(Ｘ軸方向)に沿って往復できるように、スロット６７５は作動ボディー６７１の長さ方向に直交する方向(Ｚ軸方向)に沿って設けられ、スロット挿入部が形成する回転軌跡の直径Ｒはスロットの長さＬＺ以下に設定される必要がある(図７)。
【０１００】
衣類支持部６にはさらにベース６１の移動経路を提供するレール６１１及びレール収容溝６１３が備えられるが、図５にはレール収容溝６１３が第１隔壁１７の上面に固定され、レール６１１がベース６１の底面に備えられてレール収容溝６１３に結合した場合が一例として示されている。
【０１０１】
空気供給部３を作動して衣類収容部１１に空気を供給すると、本発明による衣類処理装置は衣類を乾燥することができるが、衣類収容部に空気が供給される間に作動部６７により支持バー６４が衣類収容部の幅方向に沿って往復すると、衣類と空気の熱交換時間を短縮できる効果(乾燥時間が短縮される効果)を期待できる。
【０１０２】
一方、水分供給部４を作動して衣類収容部１１に水蒸気を供給すると、本発明による衣類処理装置は衣類からシワを除去することができるが、衣類収容部に水蒸気が供給される間に支持バー６４が衣類収容部の幅方向に沿って往復すると、衣類のシワをより効果的に除去することができる。
【０１０３】
さらに衣類収容部に水蒸気と空気を同時に又は順に供給すると、本発明は衣類から臭いを除去することができるが、衣類収容部に水蒸気と空気が供給される間に支持バー６４が衣類収容部の幅方向に沿って往復すると、脱臭に必要な時間を最小化することができる。
【０１０４】
いくつかの実施例において、本発明に開示されたユニットは様々な形態に実施することができる。例えば、電子制御ユニットを設けることができる。様々な機能を実行するように構成された回路を有するコントローラが提供されることができる。電子制御ユニット又はコントローラは他のハードウェアと一緒に提供されることができる。一部のユニットはコンピューターにより実施されることができる。
【０１０５】
本発明は様々な形態に変形して実施でき、上記実施例に本発明の権利範囲が限定されない。従って、変形した実施例が本発明の特許請求の範囲の構成要素を含んでいる場合、本発明の権利範囲に属するものと解釈できる。
【図１】
2021535794.tif 000003
【図２】
2021535794.tif 000004
【図３】
2021535794.tif 000005
【図４】
2021535794.tif 000006
【図５】
2021535794.tif 000007
【図６】
2021535794.tif 000008
【図７】
2021535794.tif 000009
【国際調査報告】
2021535794.tif 000010
2021535794.tif 000011